【手続補正書】
【提出日】平成17年6月21日(2005.6.21)
【手続補正１】
【補正対象書類名】特許請求の範囲
【補正対象項目名】全文
【補正方法】変更
【補正の内容】
【特許請求の範囲】
【請求項１】
式（Ｉ）、
（Ｉ）Ｒｆ−Ｂ−Ｒｏ−Ｚ
（式中、Ｒｆは、１〜２０個の炭素原子を含む直鎖または分岐鎖を有するパーフルオロアルキル基を表し、
Ｂは、酸素、硫黄、および／または窒素原子を１〜３個含むことができる二価の基を表し、
Ｒｏは、炭素原子を介してＢ基に結合される１〜１００、好ましくは５〜２０のオキシアルキレン基を表し、および
Ｚは、水素原子であるか、またはＢがヒドロキシル基を有する場合、１〜６個の炭素原子を含む直鎖または分岐鎖アルキル基である）の化合物、
および、式（ＩＩ）、
【化１】
2004530776.tif 000001
（式中、ｍは、０〜１０の整数であり、
Ｒは、それぞれ互いに独立して、１〜６個の炭素原子を含む直鎖または分岐アルキル基を表し、
ｐは、０〜２の整数であり、
Ａは、それぞれ互いに独立して、ハロゲン、または１〜６個の炭素原子を含むアルコキシ基を表し、および
Ｙは、イソシアネート、エポキシ、カルボン酸、またはアルコール官能基を含む基を表し、また、Ｙは、ｍがゼロでない場合、Ｓｉ（Ｒｐ）（Ａ）３−ｐを表すこともでき、ｍがゼロの場合、Ａ基を表すこともできる）の化合物
および／または、これらの反応生成物を含むことを特徴とする組成物。
【請求項２】
（ａ）式（Ｉ）の化合物、および式（ＩＩ）の化合物を適切な無水溶媒中に溶解させる工程
を含むことを特徴とする請求項１に記載の組成物を調製する方法。
【請求項３】
式（ＩＩＩ）、
【化２】
2004530776.tif 000002
（式中、Ｒｆ、Ｂ、Ｒｏ、ｍ、Ａ、Ｒおよびｐは、上記に定義した通りであり、Ｑは、カルバメート、エステル、アルコキシシラン、またはエーテル官能基である）で表されることを特徴とする化合物。
【請求項４】
加水分解剤および必要に応じて触媒の存在下で、式（Ｉ）の化合物と、式（ＩＩ）の化合物を反応させることにより、式（ＩＩＩ）の化合物を調製する方法。
【請求項５】
次の工程、
（ｉ）請求項１に記載の組成物を、存在するアルコキシシランまたはハロゲノシラン基のための加水分解剤の存在下で、処理される基材に塗布する工程
を含むことを特徴とする表面処理方法。
【請求項６】
請求項５に記載の方法によって得ることができることを特徴とする処理済み基材。
【手続補正２】
【補正対象書類名】明細書
【補正対象項目名】００１７
【補正方法】変更
【補正の内容】
【００１７】
汚れ、グリースおよびオイルに対する改善された耐性を基材に付与する、表面処理によって問題が解決された。驚くべきことに、パーフルオロ化基および極性基を有するシランを含む組成物を基材に塗布すると、非常に満足のいく結果を生じることが、観察された。
【手続補正３】
【補正対象書類名】明細書
【補正対象項目名】００２０
【補正方法】変更
【補正の内容】
【００２０】
【化３】
2004530776.tif 000003
【手続補正４】
【補正対象書類名】明細書
【補正対象項目名】００２１
【補正方法】変更
【補正の内容】
【００２１】
（式中、
ｍは、０〜１０、好ましくは０〜３の整数であり、
Ｒは、それぞれ互いに独立して、１〜６個の炭素原子を含む直鎖または分岐鎖アルキル基を表し、
ｐは、０〜２の整数、好ましくは０であり、
Ａは、それぞれ互いに独立して、ハロゲン、好ましくは塩素、または１〜６個の炭素原子を含むアルコキシ基、好ましくはメトキシ、エトキシ、プロピルオキシ、および／またはイソプロピルオキシを表し、および
Ｙは、イソシアネート、エポキシ、カルボン酸、またはアルコール官能基を含む基を表し、また、Ｙは、ｍがゼロでない場合、Ｓｉ（Ｒｐ）（Ａ）３−ｐを表すこともでき、ｍがゼロの場合、Ａ基を表すこともできる）の化合物、
および／またはそれらの反応生成物を含む組成物である。
【手続補正５】
【補正対象書類名】明細書
【補正対象項目名】００２９
【補正方法】変更
【補正の内容】
【００２９】
特定の実施形態によれば、アルコキシシランまたはハロゲノシラン官能基の加水分解のために、水などの加水分解剤が添加される。そのため、この方法は、次の追加の工程、
（ｂ）水、アルコール、またはこれらの混合物の中から選択される溶媒を添加する工程
を含む。
【手続補正６】
【補正対象書類名】明細書
【補正対象項目名】００３２
【補正方法】変更
【補正の内容】
【００３２】
【化４】
2004530776.tif 000004
【手続補正７】
【補正対象書類名】明細書
【補正対象項目名】００３３
【補正方法】変更
【補正の内容】
【００３３】
（式中、Ｒｆ、Ｂ、Ｒｏ、ｍ、Ａ、Ｒおよびｐは、上記に定義した通りであり、Ｑは、カルバメート、エステル、アルコキシシラン、またはエーテル官能基であり、好ましくはカルバメートまたはエーテル官能基である）の化合物を本発明の目的として有する。
【手続補正８】
【補正対象書類名】明細書
【補正対象項目名】００５６
【補正方法】変更
【補正の内容】
【００５６】
本発明の方法に従って処理される基材は、オイルに対する良好な耐性、および自己洗浄特性を有する。
以下に、本明細書に記載の本発明の好ましい態様１．〜２２．を列記する。
１．  式（Ｉ）、
（Ｉ）Ｒｆ−Ｂ−Ｒｏ−Ｚ
（式中、Ｒｆは、１〜２０個の炭素原子を含む直鎖または分岐鎖を有するパーフルオロアルキル基を表し、
Ｂは、酸素、硫黄、および／または窒素原子を１〜３個含むことができる二価の基を表し、
Ｒｏは、炭素原子を介してＢ基に結合される１〜１００、好ましくは５〜２０のオキシアルキレン基を表し、および
Ｚは、水素原子であるか、またはＢがヒドロキシル基を有する場合、１〜６個の炭素原子を含む直鎖または分岐鎖アルキル基である）の化合物、
および、式（ＩＩ）、
【化５】
2004530776.tif 000005
（式中、ｍは、０〜１０の整数であり、
Ｒは、それぞれ互いに独立して、１〜６個の炭素原子を含む直鎖または分岐アルキル基を表し、
ｐは、０〜２の整数であり、
Ａは、それぞれ互いに独立して、ハロゲン、または１〜６個の炭素原子を含むアルコキシ基を表し、および
Ｙは、イソシアネート、エポキシ、カルボン酸、またはアルコール官能基を含む基を表し、また、Ｙは、ｍがゼロでない場合、Ｓｉ（Ｒｐ）（Ａ）３−ｐを表すこともでき、ｍがゼロの場合、Ａ基を表すこともできる）の化合物
および／または、これらの反応生成物を含むことを特徴とする組成物。
２．  式（Ｉ）中のＲｆが６〜１６個の炭素原子を含むことを特徴とする１．に記載の組成物。
３．  式（Ｉ）中のＲｏが、５〜２０のオキシアルキレン基、好ましくはオキシエチレンまたはオキシプロピレン基を表すことを特徴とする１．または２．に記載の組成物。
４．  式（ＩＩ）中のｍが、０〜３の数であることを特徴とする１．〜３．のいずれかに記載の組成物。
５．  式（ＩＩ）中のＹが、イソシアネートまたはエポキシ官能基を含むことを特徴とする１．〜４．のいずれかに記載の組成物。
６．  式（ＩＩ）中のＡが、メトキシ、エトキシ、プロピルオキシ、および／またはイソプロピルオキシ基を表すことを特徴とする１．〜５．のいずれかに記載の組成物。
７．  ｐが０であることを特徴とする１．〜６．のいずれかに記載の組成物。
８．  式（Ｉ）および（ＩＩ）の化合物、および／またはこれらの反応生成物を１〜５０重量％、特に１０〜４０重量％含むことを特徴とする１．〜７．のいずれかに記載の組成物。
９．  水、アルコール、およびこれらの混合物の中から選択される溶媒を更に含むことを特徴とする１．〜８．のいずれかに記載の組成物。
１０．  活性物質を０．０５〜５重量％、特に０．１〜２重量％含むことを特徴とする１．〜９．のいずれかに記載の組成物。
１１．  水性エマルジョンの形態であることを特徴とする１．〜１０．のいずれかに記載の組成物。
１２．  （ａ）式（Ｉ）の化合物、および式（ＩＩ）の化合物を適切な無水溶媒中に溶解させる工程
を含むことを特徴とする１．〜１１．のいずれかに記載の組成物を調製する方法。
１３．  次の追加の工程、
（ｂ）水、アルコール、またはこれらの混合物の中から選択される溶媒を添加する工程
を含むことを特徴とする１２．に記載の方法。
１４．  次の追加の工程、
（ｃ）必要に応じて、界面活性剤または水溶性ポリマーの存在下で、工程（ｂ）で得られた溶液を乳化する工程、および、必要に応じて
（ｄ）前記無水溶媒を分離する工程
を含むことを特徴とする１２．または１３．に記載の方法。
１５．  式（ＩＩＩ）、
【化６】
2004530776.tif 000006
（式中、Ｒｆ、Ｂ、Ｒｏ、ｍ、Ａ、Ｒおよびｐは、上記に定義した通りであり、Ｑは、カルバメート、エステル、アルコキシシラン、またはエーテル官能基である）で表されることを特徴とする化合物。
１６．  Ｑが、カルバメートまたはエーテル官能基であることを特徴とする１５．に記載の化合物。
１７．  加水分解剤および必要に応じて触媒の存在下で、式（Ｉ）の化合物と、式（ＩＩ）の化合物を反応させることにより、式（ＩＩＩ）の化合物を調製する方法。
１８．  次の工程、
（ｉ）請求項１〜１１のいずれか一項に記載の組成物を、存在するアルコキシシランまたはハロゲノシラン基のための加水分解剤の存在下で、処理される基材に塗布する工程
を含むことを特徴とする表面処理方法。
１９．  追加の工程、
（ｉｉ）工程（ｉ）で得られた基材を５０〜２００℃の温度で、１秒〜２４時間の時間、熱処理する工程
を含むことを特徴とする１８．に記載の方法。
２０．  前記加水分解剤が水であることを特徴とする１８．または１９．に記載の方法。
２１．  １８．〜２０．のいずれかに記載の方法によって得ることができることを特徴とする処理済み基材。
２２．  前記基材が、ガラス、ポリメチルメタクリレート、およびポリカーボネートの中から選択されることを特徴とする２１．に記載の処理済み基材。
【手続補正９】
【補正対象書類名】明細書
【補正対象項目名】００７０
【補正方法】変更
【補正の内容】
【００７０】
【化７】
2004530776.tif 000007
【手続補正１０】
【補正対象書類名】明細書
【補正対象項目名】００８６
【補正方法】変更
【補正の内容】
【００８６】
比較例１は、パーフルオロ化基、並びに、エステルおよびチオエーテル基も有するアルコキシシランである。これは、無極性液体と比較して測定された接触角から分かるように、強い疎油特性を有する。基材が着色された油を噴霧されるとすぐ、小さい油滴が現れるのを観察することができる。しかし、このタイプの処理は、単に水を流すことにより汚れを除去することができない。実際、不純物を含有する小液滴の乾燥におそらくは由来する小さい着色スポットが残る。
【手続補正１１】
【補正対象書類名】明細書
【補正対象項目名】００８７
【補正方法】変更
【補正の内容】
【００８７】
比較例２は、親水基を有するがパーフルオロ化基を有していない化合物に関する。測定された小さい接触角から、この化合物が親油性であることが分かる。基材は、液滴を形成することなくパラフィン油によって濡れることが実際に観察される。更に、基材は親水性の性質を有する。しかし、水を流した後、着色した跡を観察することができるため、この特性は十分ではない。